(57)【要約】【課題】  タンク２の洗浄水の水温が過昇して一旦不安全な状態になった場合に、安全性の高いヒータ４への通電の復帰を行なうことができる局部洗浄装置を提供することにある。【解決手段】    人体局部を洗浄する洗浄水を貯蔵するタンク２と、前記タンク２内の洗浄水を加熱するヒータ４と、前記タンク２内の洗浄水の水温を検出すると温度検出装置５と、温度検出装置５での水温の検出値に基づいてヒータへ４の電源の供給量を制御するヒータ制御装置７と、ヒータ４への通電及びその遮断をスイッチの開閉により行なうものであって、タンク２内の洗浄水の水温が所定値を越えた場合に前記スイッチを開状態にする温度過昇防止装置８とを有する局部洗浄装置であって、前記ヒータ制御部７は、一旦温度過昇防止装置８が作動してスイッチが開状態になった後は、コンセントの再投入による電源の入ったことを認識した場合にのみヒータ４への電源の供給を復帰させる。【選択図】  図２
2005133292.tif 000002
【特許請求の範囲】
【請求項１】
人体局部を洗浄する洗浄水を貯蔵するタンクと、前記タンク内の洗浄水を加熱するヒータと、前記タンク内の洗浄水の水温を検出すると温度検出装置と、温度検出装置での水温の検出値に基づいてヒータへの電源の供給量を制御するヒータ制御装置と、ヒータへの通電及びその遮断をスイッチの開閉により行なうものであって、タンク内の洗浄水の水温が所定値を越えた場合に前記スイッチを開状態にする温度過昇防止装置とを有する局部洗浄装置であって、
前記ヒータ制御部は、一旦温度過昇防止装置が作動してスイッチが開状態になった後は、コンセントの再投入により電源が入ったことを認識した場合にのみヒータへの電源の供給を復帰させるものであることを特徴とする局部洗浄装置。
【請求項２】
前記ヒータ制御装置は、温度過昇防止装置の検知入力、リセット入力及びリレー制御出力の状態から温度過昇防止装置の作動状態を認識するものであることを特徴とする請求項１に記載の局部洗浄装置。
【請求項３】
前記ヒータ制御装置で認識した温度過昇防止装置の作動状態を示す表示手段を備えたことを特徴とする請求項２に記載の局部洗浄装置。
【発明の詳細な説明】
【技術分野】
【０００１】
本発明は、局部洗浄装置に関し、具体的には、人体の局部を洗浄する洗浄水の温度を過昇させないための温度過昇防止装置を備えた局部洗浄装置に関するものである。
【背景技術】
【０００２】
従来の温度過昇を防止する機構を備えた局部洗浄装置としては、図４に示すように、人体局部を洗浄するためのタンクと、このタンク内の洗浄水の温度が所定値を越えたときに閉状態から開状態に変移し、かつ、洗浄水の温度が所定値以下に低下したとき開状態から閉状態に変移する自動復帰式サーモスタッド２５と、このサーモスタッド２５と直接接続されるとともにサーモスタッド２５の開状態への変移に連動して開状態に変移して、その後その状態を保持しつづける連動スイッチ２６、この連動スイッチ部２６を閉状態に復帰させる、シャワー洗浄スイッチ６１及びビデ洗浄スイッチ６２とからなる操作手段を備えたものが知られている。このような局部洗浄装置では、サーモスタッド２５が開状態になっても、洗浄水の温度が所定の水温以下になると、再度開状態に復帰するするようになっており、連動スイッチ２６は、サーモスタッド２５が開状態になると同時に開状態となるが、一旦開状態になると、シャワー洗浄スイッチ６１及びビデ洗浄スイッチ６２の双方を同時に押した場合以外は、その状態を保持し続けるようになっているので、使用前に開状態となったままの連動スイッチ部２６を、簡単に閉状態に変移させるることができ、都度温水洗浄便座装置を取り外してサーモスタッド２５を操作して再度閉状態に変移させる作業が不要となり、作業の煩雑さが解消される。（特許文献１）
しかし、このような局部洗浄装置においては、連動スイッチ部２６を簡単に閉状態に変移させる制御となるため、修理や部品交換を行なう際に、間違えてシャワー洗浄スイッチ６１及びビデ洗浄スイッチ６２の双方を同時に押してしまうと、交流電源を供給した状態でこのような修理や部品交換作業が行なわれる可能性があり、感電等の恐れ等安全性が十分でない場合が生じ得るという問題点を有していた。
【特許文献１】特開平１０−１２１５５１号公報
【発明の開示】
【発明が解決しようとする課題】
【０００３】
本発明は、このような点に鑑みてなされたものであり、その目的とするところは、タンク内の洗浄水の温度が過昇して一旦不安全な状態になった場合に、ヒータへの通電の復帰を安全性の高い状態で行なうことができる局部洗浄装置を提供することである。
【課題を解決するための手段】
【０００４】
上記した課題を解決するために、本発明の請求項１に係る局部洗浄装置は、人体局部を洗浄する洗浄水を貯蔵するタンクと、前記タンク内の洗浄水を加熱するヒータと、前記タンク内の洗浄水の水温を検出すると温度検出装置と、温度検出装置での水温の検出値に基づいてヒータへの電源の供給量を制御するヒータ制御装置と、ヒータへの通電及びその遮断をスイッチの開閉により行なうものであって、タンク内の洗浄水の水温が所定値を越えた場合に前記スイッチを開状態にする温度過昇防止装置とを有する局部洗浄装置であって、前記ヒータ制御部は、一旦温度過昇防止装置が作動してスイッチが開状態になった後は、コンセントの再投入により電源が入ったことを認識した場合にのみヒータへの電源の供給を復帰させるものであることをを特徴とする。
【０００５】
本発明の請求項２に係る局部洗浄装置は、ヒータ制御装置が、温度過昇防止装置の検知入力、リセット入力及びリレー制御出力の状態から温度過昇防止装置の作動状態を認識するものであることを特徴とする。
【０００６】
本発明の請求項３に係る局部洗浄装置は、前記ヒータ制御装置で認識した温度過昇防止装置の作動状態を示す表示手段を備えたことを特徴とする。
【発明の効果】
【０００７】
本発明の請求項１に係る局部洗浄装置によると、一旦スイッチが開状態になった後は、ヒータ制御部がコンセントの再投入により電源が入ったことを認識した場合にのみヒータへの電源の供給を復帰させるものであるので、一旦スイッチが開状態になりその後閉状態に復帰した場合であっても、コンセントを抜いて再投入しなければヒータに交流電源が供給されなくなるので、コンセントを接続したままの状態で修理や部品交換を行なっても感電等の恐れがなく、安全性が向上する。
【０００８】
この請求項２に係る局部洗浄装置によると、上述した請求項１の効果に加えて、ヒータ制御装置が、温度過昇防止装置の検知入力、リセット入力及びリレー制御出力の状態から温度過昇防止装置の作動状態を認識するので、各入出力信号の組合せにより、電源入力による立ち上がり時、洗浄水の水温が正常な正常動作時、洗浄水が過昇した状態の水温過昇時、過昇した洗浄水が正常な水温に復帰した場合の水温復帰時を正確に特定することができる。そのため、一旦、水温過昇時を認識した後は、電源入力による立ち上がり時を認識しなければヒータに交流電源を供給しないようにするヒータ制御装置での制御が、より簡易かつ確実に行なうことができ、安全性がより向上する。
【０００９】
この請求項３に係る局部洗浄装置によると、上述した請求項２の効果に加えて、ヒータ制御装置で認識した温度過昇防止装置の作動状態を示す表示手段を備えたので、使用者や修理等の作業者が、表示手段が表している状態によりタンク内が安全状態であるのか不安全状態であるのかを容易に認識することができる。
【発明を実施するための最良の形態】
【００１０】
本発明の実施形態における局部洗浄装置を図１乃至図３に基いて説明する。図１乃至図３において、１は給水弁、２はタンク、３はノズルブロック、４はシーズヒータ、５はサーミスタ、６はヒータ制御素子、７はヒータ制御装置、８は温度過昇防止装置、９はリレー、１０はラッチ回路、１３は表示装置、１４はブザー、１５はノズルキャップ、１６はビデキャップ、２１はケース、２２は磁気リードスイッチ、２３はマグネットである。
【００１１】
図１は本実施形態における局部洗浄装置のタンク２周辺の内部の概略を示す斜視図である。同図に示すように、洗浄を行なう際に、使用者が局部洗浄装置に設置される図示しない洗浄キーを押すと、給水弁１が開き、タンク２内に水圧がかかって洗浄水はノズルブロック３に流れる。ノズルブロック３内に流れる洗浄水は、用途に応じて水路が切り換えられ、ノズルキャップ１５やビデキャップ１６等から洗浄水が噴出して人体の局部を洗浄する。
【００１２】
タンク２内には、タンク２内に貯蔵された洗浄水を加熱して温水にするためのシーズヒータ４及びタンク２内に貯蔵された洗浄水の水温を検出するサーミスタ５が温度検出装置として設けられている。シーズヒータ４の制御はヒータ制御装置７がヒータ制御素子６を制御することにより行なう。
【００１３】
ヒータ制御装置７は図示しない記憶部を有し、この記憶部には、タンク２内の洗浄水の目標温度に対応したサーミスタの電圧値が目標値として記憶されている。この目標値と実際にサーミスタ５で検出された電圧値とを比較することにより、ヒータ制御装置７がシーズヒータ４の出力を制御する。
【００１４】
図２は本実施形態における局部洗浄装置のブロック図であり、図３は、温度過昇防止装置８の概略を示す断面図である。図３に示すように、温度過昇防止装置８は、中空筒状のケース２１とケース内部に配された磁気リードスイッチ２２とケース外側から磁気リードスイッチ２２を挟むように配されるマグネット２３より構成され、タンク２内の洗浄水中に浸漬されている。磁気リードスイッチ２２は、通常は閉状態となっているが、一定以上の磁力が生じると開状態になる。シーズヒータ４による加熱でタンク２内の洗浄水の水温が上昇すると、マグネット２３の温度も上昇しそれに伴ってマグネットの磁力が大きくなる。そして、洗浄水の水温が一定以上になるとマグネット２３に生じる磁力が、磁気リードスイッチ２２を開状態にするに必要な磁力に達し、マグネット２３は開状態になる。このマグネット２３が開状態になると、図２に示すように、温度過昇防止装置８と直列に配されるリレー９のコイルに通電がなくなり、シーズヒータ４の通電が遮断される。従って、ヒータ制御装置７によるシーズヒータ４の制御が不調もしくは不能になり、タンク２内の洗浄水の水温が過昇した場合であっても、温度過昇防止装置８によりヒータへの通電が防止されるので、洗浄水の水温が高い不安全な状態が短期間になる。
【００１５】
【表１】
2005133292.tif 000003
【００１６】
この温度過昇防止装置８には、リレー９を制御するラッチ回路１０を有しており、ヒータ制御装置７の記憶部に記憶される上記の表１に示すような入出力状態の動作真理表により、このラッチ回路１０の状態は温度過昇防止装置８の作動状態としてヒータ制御装置７で認識される。表１において、「温度過昇防止装置検知入力」は、温度過昇防止装置８の動作が認識されていなければＨ入力（ハイレベルの入力）が、温度過昇防止装置８の動作が認識されればＬ入力（ローレベルの入力）がラッチ回路１０になされる。また、「リセット入力」は、ラッチ回路１０内の抵抗及びコンデンサの時定数より信号の立ち上がりが遅い場合はＬ入力が、そうでない場合はＨ入力がラッチ回路１０になされる。さらに、「リレー制御出力」は、リレー９の遮断が生じた場合にはＬ出力（ローレベルの出力）が、遮断が生じない場合にはＨ出力（ハイレベルの出力）がラッチ回路１０になされる。
【００１７】
このようなＨ入力とＬ入力及びＨ出力とＨ出力の組合せにより、ヒータ制御装置７で認識される温度過昇防止装置８の作動状態は、電源入力による立ち上がり状態を示す「電源立ち上がり時」、検出する洗浄水の水温が正常な状態を示す「正常動作時」、洗浄水が過昇して温度過昇防止装置が作動した状態を示す「過昇水温検知時」、過昇した洗浄水が正常な水温に復帰した状態を示す「水温復帰時」の４つの状態で示すことができる。例えば、温度過昇防止装置８が作動せず（「温度過昇防止装置検知入力」がＨ入力）、コンデンサが充電されており（「リセット入力」がＨ入力）、リレー９が遮断されていなければ（「リレー制御出力」がＨ入力）、ヒータ制御部７は表１に示す動作真理表に基づいて、ラッチ回路の状態が「正常動作時」であると認識する。
【００１８】
また、温度過昇防止装置８が動作した場合は、「温度過昇防止装置検知入力」がＬ入力となり、リレー９が遮断されて「リレー制御出力」がＬ出力となり、「リセット入力」は正常動作時と変わらずＨ入力なので、ヒータ制御装置７は、温度過昇防止装置８が「過昇水温検知時」と認識して、シーズヒータ４への通電を遮断する。
【００１９】
ヒータ制御装置７は、ラッチ回路１０の状態を一旦「温度過昇防止装置の動作時」もしくは「温度過昇防止装置の復帰時」と認識した場合には、その後「電源立ち上がり時」を認識した場合にのみ、シーズヒータ４への電源供給を復帰させるよう構成されている。このような制御を行なうことにより、一旦磁気リードスイッチ２２が開状態になりその後閉状態に復帰した場合であっても、一旦コンセントを抜いて電源を再投入しなければシーズヒータ４に交流電源が供給されなくなるので、コンセントを接続したままの状態で修理や部品交換を行なっても感電等の恐れがなく、安全性が向上する。
【００２０】
特に本実施形態においては、上述したように、ヒータ制御装置７が、温度過昇防止装置８の検知入力、リセット入力及びリレー制御出力の状態から温度過昇防止装置８の作動状態を認識するので、各入出力信号の組合せにより、電源入力による立ち上がり時、洗浄水の水温が正常な正常動作時、洗浄水が過昇した状態の水温過昇時、過昇した洗浄水が正常な水温に復帰した場合の水温復帰時を正確に特定することができる。そのため、一旦、水温過昇時を認識した後は、電源入力（電源の再投入）による立ち上がり時を認識しなければヒータに交流電源を供給しないヒータ制御装置７での制御が、より簡易かつ確実に行なうことができ、安全性が一層向上する。
【００２１】
また、図２に示すように、ヒータ制御装置７で認識するラッチ回路１０の状態を表示装置１３で「電源立ち上がり時」、「正常動作時」、「温度過昇防止装置の動作時」、「温度過昇防止装置の復帰時」等の状態を表示させてもよく、「電源立ち上がり時」若しくは「正常動作時」のときは青色のＬＥＤを点灯させ、「温度過昇防止装置の動作時」若しくは「温度過昇防止装置の復帰時」のときは赤色のＬＥＤを点灯させるようにしてもよい。さらに、「温度過昇防止装置の動作時」若しくは「温度過昇防止装置の復帰時」を認識した場合にはブザー１４等による警報音をならすようにしてもよい。これらの場合には、使用者や修理等の作業者が、タンク内の安全状態を容易に認識することができる。
【図面の簡単な説明】
【００２２】
【図１】本発明の実施形態における局部洗浄装置のタンク周辺の内部の概略を示す斜視図である。
【図２】本発明の実施形態における局部洗浄装置のブロック図である。
【図３】本発明の実施形態における温度過昇防止装置の概略を示す断面図である。
【図４】従来例を示す構成ブロック図である。
【符号の説明】
【００２３】
２    タンク
４    ヒータ
５    サーミスタ
７    ヒータ制御装置
８    温度過昇防止装置
【図１】
2005133292.tif 000004
【図２】
2005133292.tif 000005
【図３】
2005133292.tif 000006
【図４】
2005133292.tif 000007